【手続補正書】
【提出日】平成18年12月22日(2006.12.22)
【手続補正１】
【補正対象書類名】明細書
【補正対象項目名】発明の名称
【補正方法】変更
【補正の内容】
【発明の名称】ビデオメッセージ処理方法及びビデオメッセージ処理装置
【手続補正２】
【補正対象書類名】明細書
【補正対象項目名】特許請求の範囲
【補正方法】変更
【補正の内容】
【特許請求の範囲】
【請求項１】  ビデオメッセージを処理するビデオメッセージ処理方法において、
少なくとも画像データ及び関連音声データを有するビデオデータをキャプチャする工程と、
複数のノードを有する階層構造である前記ビデオメッセージの構造を作成する工程と、
前記構造から前記構造における少なくとも１つのノードと、前記ビデオデータにおける少なくとも１つのセグメントとを関連付けてリンクを確立し、構造化ビデオメッセージを作成する工程と、
を有することを特徴とするビデオメッセージ処理方法。
【請求項２】  前記構造化ビデオメッセージを作成する工程は、前記ビデオデータのセグメントの開始時間位置及び終了時間位置を前記ノードと関連付ける工程を含むことを特徴とする請求項１に記載のビデオメッセージ処理方法。
【請求項３】  前記構造化ビデオメッセージを作成する工程は、前記ビデオデータのセグメントの開始時間位置及び終了画像データを前記ノードと関連付ける工程を含むことを特徴とする請求項１に記載のビデオメッセージ処理方法。
【請求項４】  前記構造と前記ビデオデータとの間のリンクは、前記ビデオデータのキャプチャ中に行われることを特徴とする請求項１に記載のビデオメッセージ処理方法。
【請求項５】  前記構造化ビデオメッセージを作成する工程は、
ビデオメッセージプランニング、
ビデオメッセージキャプチャリング、
ビデオメッセージラベリング、
ビデオメッセージナビゲーティング、
ビデオメッセージ編集、及び
ビデオメッセージ注釈付け
の一連の機能から選択される１つ又は複数の機能を用いて前記構造化ビデオメッセージを作成することを特徴とする請求項１に記載のビデオメッセージ処理方法。
【請求項６】  前記ビデオメッセージの構造を作成する工程は、更に、
メッセージテンプレートを提供する工程と、
前記メッセージテンプレートを実行し、各ノードが前記ビデオメッセージのビデオデータのセグメントを表現できる、複数のノードを有する前記ビデオメッセージの構造を生成する工程とを含むことを特徴とする請求項１に記載のビデオメッセージ処理方法。
【請求項７】  前記構造化ビデオメッセージを編集する工程を更に含むことを特徴とする請求項１に記載のビデオメッセージ処理方法。
【請求項８】  前記構造化ビデオメッセージを受信者へ伝達する工程を更に含むことを特徴とする請求項１に記載のビデオメッセージ処理方法。
【請求項９】  ビデオメッセージを処理するビデオメッセージ処理装置において、
少なくとも画像データ及び関連音声データを有するビデオデータをキャプチャするキャプチャ手段と、
複数のノードを有する階層構造である前記ビデオメッセージの構造を作成する第１作成手段と、
前記構造から前記構造における少なくとも１つのノードと、前記ビデオデータにおける少なくとも１つのセグメントとを関連付けてリンクを確立し、構造化ビデオメッセージを作成する第２作成手段と、
を有することを特徴とするビデオメッセージ処理装置。
【請求項１０】  請求項１に記載のビデオメッセージ処理方法をコンピュータに実行させるためのプログラムを格納したコンピュータ読み取り可能な記憶媒体。
【手続補正３】
【補正対象書類名】明細書
【補正対象項目名】０００１
【補正方法】変更
【補正の内容】
【０００１】
【発明の属する技術分野】
本発明は非同期ビデオメッセージ処理に関し、特にビデオメッセージ処理方法、ビデオメッセージ処理装置及び記憶媒体に関する。
【手続補正４】
【補正対象書類名】明細書
【補正対象項目名】０００７
【補正方法】変更
【補正の内容】
【０００７】
【課題を解決するための手段】
本発明は、ビデオメッセージを処理するビデオメッセージ処理方法において、少なくとも画像データ及び関連音声データを有するビデオデータをキャプチャする工程と、複数のノードを有する階層構造である前記ビデオメッセージの構造を作成する工程と、前記構造から前記構造における少なくとも１つのノードと、前記ビデオデータにおける少なくとも１つのセグメントとを関連付けてリンクを確立し、構造化ビデオメッセージを作成する工程とを有することを特徴とする。
【手続補正５】
【補正対象書類名】明細書
【補正対象項目名】０００８
【補正方法】変更
【補正の内容】
【０００８】
また、本発明は、ビデオメッセージを処理するビデオメッセージ処理装置において、少なくとも画像データ及び関連音声データを有するビデオデータをキャプチャするキャプチャ手段と、複数のノードを有する階層構造である前記ビデオメッセージの構造を作成する第１作成手段と、前記構造から前記構造における少なくとも１つのノードと、前記ビデオデータにおける少なくとも１つのセグメントとを関連付けてリンクを確立し、構造化ビデオメッセージを作成する第２作成手段とを有することを特徴とする。
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】削除
【補正の内容】
【手続補正１６】
【補正対象書類名】明細書
【補正対象項目名】００１９
【補正方法】削除
【補正の内容】
【手続補正１７】
【補正対象書類名】明細書
【補正対象項目名】００２０
【補正方法】削除
【補正の内容】
【手続補正１８】
【補正対象書類名】明細書
【補正対象項目名】００２１
【補正方法】削除
【補正の内容】
【手続補正１９】
【補正対象書類名】明細書
【補正対象項目名】００２２
【補正方法】削除
【補正の内容】
【手続補正２０】
【補正対象書類名】明細書
【補正対象項目名】００２３
【補正方法】削除
【補正の内容】
【手続補正２１】
【補正対象書類名】明細書
【補正対象項目名】００２４
【補正方法】削除
【補正の内容】
【手続補正２２】
【補正対象書類名】明細書
【補正対象項目名】００２５
【補正方法】削除
【補正の内容】
【手続補正２３】
【補正対象書類名】明細書
【補正対象項目名】００２６
【補正方法】削除
【補正の内容】
【手続補正２４】
【補正対象書類名】明細書
【補正対象項目名】００２７
【補正方法】削除
【補正の内容】
【手続補正２５】
【補正対象書類名】明細書
【補正対象項目名】００２８
【補正方法】削除
【補正の内容】
【手続補正２６】
【補正対象書類名】明細書
【補正対象項目名】００２９
【補正方法】削除
【補正の内容】
【手続補正２７】
【補正対象書類名】明細書
【補正対象項目名】００３０
【補正方法】削除
【補正の内容】
【手続補正２８】
【補正対象書類名】明細書
【補正対象項目名】００３１
【補正方法】削除
【補正の内容】